(57)【特許請求の範囲】
【請求項１】
保守容易性シャーシであって、当該保守容易性シャーシは、
係止アームを含む第１のハウジングと、
第２のハウジングと、を有しており、
該第２のハウジングは、
係止カムと、
該係止カムに取り付けられたコードであって、該コードは、前記係止カムを回転させて、前記係止アームと係合及び係合解除することができ、且つ前記第１のハウジングを前記第２のハウジングに結合及び結合解除することができる、コードと、を含む、
保守容易性シャーシ。
【請求項２】
前記第１のハウジングは複数の係止アームを含み、前記第２のハウジングは対応する複数の係止カムを含み、前記コードは、前記複数の係止カムのそれぞれを回転させて対応する係止アームと係合及び係合解除するように構成される、請求項１に記載の保守容易性シャーシ。
【請求項３】
前記第２のハウジングは停止機構をさらに含み、
該停止機構は、前記係止カムが前記停止機構を超えて回転するのを防止するように構成される、請求項１又は２に記載の保守容易性シャーシ。
【請求項４】
前記係止カムは、停止機構と係合する逆転防止装置を含む、請求項１乃至３のいずれか一項に記載の保守容易性シャーシ。
【請求項５】
前記係止カムは、前記係止アームを収容し、且つ第１のハウジングを第２のハウジング上に下降させることを可能にする係止アームチャネルを含む、請求項１乃至４のいずれか一項に記載の保守容易性シャーシ。
【請求項６】
前記係止カムは、係止アームの上で回転し、且つ前記第１のハウジングを前記第２のハウジングに結合することができる係止機構を含む、請求項１乃至５のいずれか一項に記載の保守容易性シャーシ。
【請求項７】
シャーシに収容される電子部品を有する電子装置であって、
前記シャーシは、
係止アームを含む第１のハウジングと、
第２のハウジングと、を含み、
該第２のハウジングは、
係止カムと、
該係止カムに取り付けられたコードであって、該コードは、前記係止カムを回転させて、前記係止アームと係合及び係合解除することができ、且つ前記第１のハウジングを前記第２のハウジングに結合及び結合解除することができる、コードと、を含む、
電子装置。
【請求項８】
前記第１のハウジングは複数の係止アームを含み、前記第２のハウジングは対応する複数の係止カムを含み、前記コードは、前記複数の係止カムのそれぞれを回転させて対応する係止アームと係合及び係合解除するように構成される、請求項７に記載の電子装置。
【請求項９】
前記第２のハウジングは停止機構をさらに含み、
該停止機構は、前記係止カムが前記停止機構を超えて回転するのを防止するように構成される、請求項７又は８に記載の電子装置。
【請求項１０】
前記係止カムは、停止機構と係合する逆転防止装置を含む、請求項７乃至９のいずれか一項に記載の電子装置。
【請求項１１】
前記係止カムは、前記係止アームを収容し、且つ第１のハウジングを第２のハウジング上に下降させることを可能にする係止アームチャネルを含む、請求項７乃至１０のいずれか一項に記載の電子装置。
【請求項１２】
前記係止カムは、係止アームの上で回転し、且つ前記第１のハウジングを前記第２のハウジングに結合することができる係止機構を含む、請求項７乃至１１のいずれか一項に記載の電子装置。
【請求項１３】
方法であって、当該方法は、
係止カムを一方向に回転させて、第１のハウジングを第２のハウジングに結合するステップであって、前記第１のハウジングは係止アームを含み、
前記第２のハウジングは、
係止カムと、
該係止カムに取り付けられたコードであって、該コードは、前記係止カムを回転させて前記係止アームと係合及び係合解除し、第１のハウジングを第２のハウジングに結合及び結合解除することができる、コードと、を含む、結合するステップと、
前記係止カムを反対方向に回転させて、前記第１のハウジングを前記第２のハウジングから結合解除するステップと、を含む、
方法。
【請求項１４】
前記第１のハウジングは複数の係止アームを含み、前記第２のハウジングは対応する複数の係止カムを含み、前記コードは、前記複数の係止カムのそれぞれを回転させて対応する係止アームを係合及び係合解除するように構成される、請求項１３に記載の方法。
【請求項１５】
前記第２のハウジングは停止機構をさらに含み、
該停止機構は、前記係止カムが前記停止機構を超えて回転するのを防止するように構成される、請求項１３又は１４に記載の方法。
【請求項１６】
前記係止カムは、前記係止アームを収容し、且つ第１のハウジングを第２のハウジング上に下降させることを可能にする係止アームチャネルを含む、請求項１３乃至１５のいずれか一項に記載の方法。
【請求項１７】
前記係止カムは、係止アームの上で回転し、且つ前記第１のハウジングを前記第２のハウジングに結合することができる係止機構を含む、請求項１３乃至１６のいずれか一項に記載の方法。
【請求項１８】
システムであって、当該システムは、
第１のハウジングを第２のハウジングに結合及び結合解除する係止カム・アセンブリを有しており、
前記第１のハウジングは係止アームを含み、
前記第２のハウジングは、
係止カムと
該係止カムに取り付けられたコードであって、該コードは、前記係止カムを回転させて前記係止アームと係合及び係合解除することができ、且つ第１のハウジングを第２のハウジングに結合及び結合解除することができる、コードと、を含む、
システム。
【請求項１９】
前記第１のハウジングは複数の係止アームを含み、前記第２のハウジングは対応する複数の係止カムを含み、前記コードは、前記複数の係止カムのそれぞれを回転させて対応する係止アームと係合及び係合解除するように構成される、請求項１８に記載のシステム。
【請求項２０】
前記係止カムは、前記係止アームを収容し、且つ前記第１のハウジングを第２のハウジング上に下降させることを可能にする係止アームチャネルと、係止アームの上で回転し、且つ前記第１のハウジングを前記第２のハウジングに結合することができる係止機構と、を含む、請求項１８又は１９に記載のシステム。
【発明の詳細な説明】
【技術分野】
【０００１】
関連出願への相互参照
本願は、２０１５年６月２７日に出願された、”SERVICABLE
CHASSIS FOR DEVICES”という標題の米国非仮特許出願第１４／７５２，９２７号について優先権の利益を主張するものであり、この文献はその全体が参照により本明細書に組み込まれる。
【０００２】
本明細書に記載される実施形態は、概して、装置のための保守容易性（serviceable）シャーシのヒンジ構成に関する。
【背景技術】
【０００３】
エンドユーザは、電子装置についてこれまでよりも多くの選択肢を有する。現在、（例えば、より多くのコンピュータ装置、より薄いコンピュータ装置、より審美的に優れた（aesthetically
pleasing）コンピュータ装置等）いくつかの顕著な技術的トレンドが進行中であり、これらのトレンドは電子装置の情勢を変化させている。１つの技術的トレンドは、優美で、滑らかで、審美的に優れた装置を有することである。しかしながら、コンピュータ装置のシャーシは、コンピュータ装置内の電子機器にアクセスできるように２つ以上の部品で構成する必要がある。こうして、優美で、滑らかで、審美的に優れたデザインを提供する一方、依然としてコンピュータ装置内の電子機器へのアクセスを可能にすることには課題がある。
【図面の簡単な説明】
【０００４】
【図１Ａ】本開示の一実施形態による装置のための保守容易性シャーシの正投影図を示す簡略化された概略図である。
【図１Ｂ】本開示の一実施形態による装置のための保守容易性シャーシの正投影図を示す簡略化された概略図である。
【図２】本開示の一実施形態による装置のための保守容易性シャーシの一部の正投影図を示す簡略化された概略図である。
【図３Ａ】本開示の一実施形態による装置のための保守容易性シャーシの一部の平面図を示す簡略化された概略図である。
【図３Ｂ】本開示の一実施形態による装置のための保守容易性シャーシの一部の平面図を示す簡略化された概略図である。
【図３Ｃ】本開示の一実施形態による装置のための保守容易性シャーシの一部の平面図を示す簡略化された概略図である。
【図４】本開示の一実施形態による装置のための保守容易性シャーシの一部の正投影図を示す簡略化された概略図である。
【図５】本開示の一実施形態による装置のための保守容易性シャーシの一部の平面図を示す簡略化された概略図である。
【図６】本開示の一実施形態による装置のための保守容易性シャーシの一部の正投影図を示す簡略化された概略図である。
【図７】本開示の一実施形態による装置のための保守容易性シャーシの一部の正投影図を示す簡略化された概略図である。
【図８】本開示の一実施形態による装置のための保守容易性シャーシの正投影図を示す簡略化された概略図である。
【図９】本開示の一実施形態による装置のための保守容易性シャーシの一部の実施形態の正投影図を示す簡略化された概略図である。
【図１０】本開示の一実施形態による装置のための保守容易性シャーシの一部の実施形態の正投影図を示す簡略化された概略図である。
【図１１】本開示の一実施形態による装置のための保守容易性シャーシの一部の実施形態の正投影図を示す簡略化された概略図である。
【発明を実施するための形態】
【０００５】
本開示及びその特徴及び利点のより完全な理解を提供するために、添付の図面と併せて以下の詳細な説明を参照するが、同様の参照符号は同様の部分を表す。
図面の図は、必ずしも縮尺通りに描かれておらず、それらの寸法は、本開示の範囲から逸脱することなく、大いに変更される可能性がある。
【０００６】
例示的な実施形態
以下の詳細な説明は、電子装置のヒンジ構成に関連する装置、方法、及びシステムの例示的な実施形態を示す。例えば、構造、機能、及び／又は特性等の特徴は、便宜上、一実施形態を参照して説明される。種々の実施形態は、記載された特徴のうちの任意の適切な１つ又は複数を用いて実施することができる。
【０００７】
図１Ａは、第１のハウジング１０２及び第２のハウジング１０４を含む保守容易性シャーシ１００の簡略化した正投影図である。第２のハウジング１０４は、１つ又は複数の係止（locking）カム１０６、コード１０８、停止機構１１２、及びコードアタッチメント１３８ａ及び１３８ｂを含む。各係止カム（locking cam）１０６は、逆転防止装置１１６及び回転アーム１１８を含むことができる。一例では、コード１０８は、回転アーム１１８を使用して各係止カム１０６に結合することができる。コード１０８が一方向又は他方向に引っ張られると、係止カム１０６は回転することができる。停止機構１１２は、逆転防止装置１１６と係合し、係止カム１０６が所定の距離を超えて回転するのを防止する。図１Ａに示されるように、コード１０８は、コードアタッチメント１３８に固定され、回転アーム１１８を使用して各係止カム１０６をそれぞれロックするように結合され、コードアタッチメント１３８ｂから突出している。
【０００８】
図１Ｂを参照すると、図１Ｂは、保守容易性シャーシ１００の簡略化された正投影図である。図１Ｂに示されるように、コードアッタチメント１３８ｂから突出していたコード１０８の部分が切断される。これにより、ネジ穴や明らかな取付け部がなくても、保守容易性シャーシのきれいなプロファイルが得られる。保守容易性シャーシ１００の内部へのアクセスが所望される場合に、コードアタッチメント１３８ａ又は１３８ｂにアクセスして、このアッタチメントを使用してコード１０８を引っ張ることができる。コード１０８を引っ張ると、各係止カム１０６が回転し、第１のハウジング１０２を第２のハウジング１０４から解放する。
【０００９】
上記は、本明細書のシステム及び方法が役立つように配備され得る非限定的な例として提供される。以下の開示は、本開示の様々な特徴を実施するための多くの異なる実施形態又は実施例を与える。本開示を簡潔にするために、構成要素及び配置の特定の例を以下に説明する。これらは、当然ながら単なる例であり、限定することを意図するものではない。さらに、本開示は、様々な例において参照符号及び／又は文字を繰り返し得る。この繰返しは、簡潔さ及び明瞭さを目的とするものであり、それ自体が議論される様々な実施形態同士及び／又は構成同士の間の関係を規定するものではない。異なる実施形態は、多くの場合、異なる利点を有し、特定の利点は、必ずしもいずれの実施形態においても要求されるものではない。
【００１０】
本明細書に記載される特定の実施形態は、保守容易性シャーシ１００を提供する。保守容易性シャーシ１００は、ノートブックコンピュータ、ラップトップ、携帯電話、又は（任意のタイプの構成要素、要素、回路等を含む）複数の電子部品に結合された回路基板を含む他のモバイル装置を指す。保守容易性シャーシ１００は、非電子装置のシャーシが目立つ締結部品のない、滑らかで美しいシャーシであることが望まれる場合に、非電子装置のためのシャーシであってもよい。
【００１１】
以下の詳細な説明は、装置の取付けに関連する機器、方法、及びシステムの例示的な実施形態を示す。例えば、構造、機能、及び／又は特性等の特徴は、便宜上、一実施形態を参照して説明される。種々の実施形態は、記載された特徴のうちの任意の適切な１つ又は複数を用いて実施することができる。
【００１２】
保守容易性シャーシ１００の特定の例示的な技術を説明する目的で、保守容易性シャーシ１００に関連する基礎情報を理解することが重要である。以下の基礎情報は、本開示を適切に説明するための基礎と見ることができる。
【００１３】
現在の１つの技術的トレンドは、優美で、滑らかで、審美的に優れた装置を有することである。例えば、電子装置のための留め具の無い外装を有すると同時に電子装置を容易に保守点検可能にすることが望ましい。電子装置の保守点検を可能にするために、電子装置のシャーシは２つ以上の部品から構成される必要があり、それにより修理や交換のために電子装置内の電子機器にアクセス可能になる。しかしながら、これは、典型的に、留め具によって２つ以上の部品を接続する必要があるため、留め具のない外装に問題を生じる。現在のところ、ネジとスナップによって２つのプラスチック製シャーシ側面を一緒に固定するのが主な解決策である。見えないように配置される多数のスナップ式嵌合及び締まり嵌めのインターフェースがあるが、そのような設計に伴う問題は、容易に保守点検できないことであり、又は取り外されたときに容易に損傷を受ける可能性があることである。インターフェースを堅く締め付ける必要があり、隠された留め具の場合に、これは、一般的に、それらインターフェースに関連した大きな引抜き力を必要とすることを意味する。従って、シャーシの部品を分離させるときに、引抜き力によって損傷が通常発生する。また、隠された締結具は、典型的に、相当な係合を必要とし、薄いシステムではうまく機能しない。また、留め具は、典型的に、取付け時に変形され、損傷している場合には、それら締付け力が弱められ、後で係合解除する可能性がある。必要なのは、現在のシステムの制限なしに、シャーシ内部の電子機器（又は非電子部品）にアクセスできる、優美で、滑らかで、審美的に優れたシャーシである。
【００１４】
図１Ａ及び図１Ｂに概説されるような保守容易性シャーシは、これらの問題（及び他の問題）を解決することができる。保守容易性シャーシ１００は、留め具の無い外装を有するシャーシと、システムを保守点検するための比較的簡素な引張り機構とを可能にするように構成することができる。さらに、一度固定されると、サービス中に意図的に外されない限り、留め具は大きく緩むことはない。一例では、保守容易性シャーシ１００は、一連の内部に隠された比較的低コストの留め具又は係止カムを係合又は係合解除するためのコード又はワイヤーを含むことができる。係止カム上の回転アームを使用して、コードを係止カムに結合し、係止カムを時計回り及び反時計回りに均等に回転させることができる。引張キーを使用してこの引張キーをシャーシのキー溝又は開口部を通ってシャーシに到達させ、コードを掴んで引っ張って係止カムを係合又は解放することができる。その結果、保守容易性を可能にする引張り機構を有する低コストの留め具の無い外装が得られる。保守容易性シャーシ１００は、（スナップがマルチアセンブリでは信頼できないため、少なくともスナップよりも良い）多点係合及び解放を可能にするように構成することができ、シャーシ高さが低く、普通のユーザがシャーシをどの様に開けるかを分からないような向上した不正改造保護、比較的容易な設置、低コスト、システムコンポーネントの配置等に対応するためにシステムコンポーネントの上に、上方に、及び周りに配線することができる非金属／非導電性のコードが可能になるように構成することができる。
【００１５】
図２を参照すると、図２は、保守容易性シャーシ１００の一部の実施形態を示す簡略化された正投影図である。第２のハウジング１０４は、駆動軸１１０及び停止機構１１２を含むことができる。駆動軸１１０及び停止機構１１２は、第２のハウジング１０４が形成されるときに、型成形してもよい。
【００１６】
図３Ａ〜図３Ｃを参照すると、図３Ａ〜図３Ｃは、保守容易性シャーシ１００の一部の実施形態を示す簡略化された正投影図である。保守容易性シャーシ１００は、カムロック１１４を含むことができる。カムロック（cam lock）１１４は、逆転防止装置１１６、回転アーム１１８、駆動軸受領域１２０、係止機構１２２、前方停止部１３４（図３Ｂ及び図３Ｃに示される）、及び係止アームチャネル１３６を含むことができる。逆転防止装置１１６は、停止機構１１２と係合し、カムロック１１４の回転を防止するように構成することができる。回転アーム１１８はコード１０８と結合するように構成され、コード１０８を押したり引っ張ったりすると、カムロック１１４は、引っ張り方向に回転する又は押す方向とは反対方向に回転する。駆動軸受領域１２０は、カムロック１１４を駆動軸１１０の周りに回転できるように、カムロック１１４を駆動軸１１０の上に配置可能に構成することができる。係止機構１２２は、半径方向又は角度方向に引込み部を含むことができ、以下の図１１で説明するように捕捉アーム１３０の上で回転するように構成することができる。前方停止部１３４は、逆転防止装置１１６によって制限又は防止される回転方向とは反対の方向への回転を制限又は防止することができる。係止アームチャネル１３６は、図１０に示されるように、（図８及び図９に示される）係止アーム１２８を係止カム１０６内に又は係止カム１０６の近くに下降させるように構成することができる。
【００１７】
図４を参照すると、図４は、保守容易性シャーシ１００の一部の実施形態を示す簡略化された正投影図である。図４に示されるように、カムロック１１４は、駆動軸１１０の上に挿入されている。一例では、カムロック１１４を所定位置に固定するのを助けるために、保持ワッシャ１２４を、駆動軸１１０上で及びカムロック１１４の上に位置付けすることができる。別の例では、保持ワッシャ１２４を所定位置に保持するために、キャップ１３６を駆動軸１１０の上に配置することができる。
【００１８】
図５を参照すると、図５は、保守容易性シャーシ１００の一部の実施形態を示す簡略化された正投影図である。図５に示されるように、カムロック１１４は、駆動軸１１０の上に挿入されている。逆転防止装置１１６は、停止機構１１２と係合し、この例では、カムロック１１４の反時計回りの回転を防止するように構成することができる。
【００１９】
図６を参照すると、図６は、保守容易性シャーシ１００の一部の実施形態を示す簡略化された正投影図である。図６に示されるように、コード１０８が回転アーム１１８に結合されている。係止カム１０６を反時計回りの回転で回転させるようにコード１０８を引っ張った場合に、逆転防止装置１１６及び停止機構１１２は回転を停止させる。しかしながら、係止カム１０６を時計回りの回転で回転させるようにコード１０８を引っ張った場合に、回転を妨げるものは何もない。
【００２０】
図７を参照すると、図７は、保守容易性シャーシ１００の一部の実施形態を示す簡略化された正投影図である。図７に示されるように、第２のハウジング１０４は、２列の係止カム１０６を含むことができる。所定数の係止カム及び列を使用して、本明細書で議論される保守容易性シャーシ機構を容易にすることができる。
【００２１】
図８を参照すると、図８は、保守容易性シャーシ１００の一部の実施形態を示す簡略化された正投影図である。図８に示されるように、第１のハウジング１０２は、係止アーム１２６を含む。係止アーム１２６は、本体１２８、捕捉アーム１３０、及び案内チャネル１３２を含むことができる。係止アーム１２６は、第１のハウジング１０２上に射出成形してもよい。一例では、キャビティ及びリフターツールを使用して、第１のハウジング１０２上に係止アーム１２６を射出成形してもよい。
【００２２】
図９を参照すると、図９は、保守容易性シャーシ１００の一部の実施形態を示す簡略化された正投影図である。図９に示されるように、第１のハウジング１０２を第２のハウジング１０４上に下降させてもよい。第１のハウジング１０２は、複数の係止アーム１２６を有しており、各係止アームは、第１のハウジング１０２上の係止カム１０６に対応する。各係止アームは対応する係止カム１０６と整列し、それにより捕捉アーム１３０が係止アームチャネル１３６内に滑り落ち、又は別の方法で係止アームチャネル１３６に載置される。
【００２３】
図１０を参照すると、図１０は、保守容易性シャーシ１００の一部の実施形態を示す簡略化された断面図である。図１０に示されるように、第１のハウジング１０２は、第２のハウジング１０４上に下げられている。捕捉アーム１３０が、停止機構１１２と係止カム１０６の係止アームチャネル１３６との間にある。一例では、捕捉アームは第２のハウジング１０２の表面上に載置してもよい。第１のハウジング１０２が第２のハウジング１０４上に下ろされる前に、又は第１のハウジングが第２のハウジング１０４上に下ろされる際に、係止カム１０６を回転させる方向にコードを引っ張って、逆転防止装置１１６を停止機構１１２と接触させことができる。これにより、本体１２８及び捕捉アーム１３０を係止アームチャネル１３６内に下降させることができる。
【００２４】
図１１を参照すると、図１１は、保守容易性シャーシ１００の一部の実施形態を示す簡略化された断面図である。図１１に示されるように、第１のハウジング１０２は、第２のハウジング１０４上に下げられている。図１０を参照して説明した方向とは逆にコード１０８を引っ張ることができる。これにより、係止アームチャネル１３６が捕捉アーム１３０から離れる方向に回転し、且つ係止機構１２２が捕捉アーム１３０の上で回転し、第１のハウジング１０２を第２のハウジング１０４に固定するまで、係止カム１０６を回転させることができる。また、係止カム１０６が回転して捕捉アーム１３０を捕捉するとき、係止カム１０６及び／又は捕捉アーム１３０の浅い角度は、これらの部品を一緒に引っ張って捕捉アーム１３０に張力を生じさせる。これにより、第１のハウジング１０２及び第２のハウジング１０４が、共通の公差又は保守容易性シャーシ１００が受ける力によって分離できないようにすることができる。
【００２５】
本明細書で概説した仕様、寸法、及び関係の全て（例えば、高さ、幅、長さ、材料等）は、例及び教示のみを与える目的で提供されているに過ぎないことに留意しなければならない。これらのデータのそれぞれは、本開示の精神又は添付の特許請求の範囲から逸脱することなく、相当変化し得る。仕様は、１つの非限定的な例にのみ適用され、従って、それら仕様はそのように解釈すべきである。以上の説明では、例示的な実施形態について説明した。添付の特許請求の範囲から逸脱することなく、そのような実施形態に対して様々な修正及び変更を行うことができる。従って、詳細な説明及び図面は、限定ではなく例示的なものとみなすべきである。
【００２６】
当業者が多数の他の変更、置換、変形、代替、及び修正を確認し得るが、本開示は、全ての変更、置換、変形、代替、及び修正が添付の特許請求の範囲内に入るものとして包含することを意図する。米国特許商標庁（USPTO）と、本願に添付された特許請求の範囲の解釈において本願に対して刊行された任意の特許文献の読者とを支援するために、出願人は、（ａ）添付の請求項は、特定の請求項において「〜手段」又は「〜ステップ」の語が具体的に使用されていない限り、それが出願日に存在するように米国特許法第１１２条第６パラグラフを行使することを意図しておらず、（ｂ）明細書のいかなる記述によっても、添付の特許請求の範囲に他の形で反映されない方法で本開示を限定することを意図していない。
【００２７】
その他の注意事項と実施例
実施例Ａ１は、第１のハウジング及び第２のハウジングを含む保守容易性シャーシである。第１のハウジングは係止アームを含む。第２のハウジングは、係止カム及びコードを含むことができる。コードは、係止カムに取り付けられ、係止カムを回転させて係止アームと係合及び係合解除することができ、且つ第１のハウジングを第２のハウジングと結合及び結合解除することができる。
【００２８】
実施例Ａ２では、実施例Ａ１の主題はオプションで以下を含む。第１のハウジングは複数の係止アームを含み、第２のハウジングは対応する複数の係止カムを含み、コードは、複数の係止カムのそれぞれを回転させて対応する係止アームと係合及び係合解除するように構成される。
【００２９】
実施例Ａ３では、先行する実施例「Ａ」のいずれかの主題はオプションで以下を含む。第２のハウジングは停止機構をさらに含み、停止機構は、係止カムが停止機構を超えて回転するのを防止するように構成される。
【００３０】
実施例Ａ４では、先行する実施例「Ａ」のいずれかの主題はオプションで以下を含む。係止カムは、停止機構と係合する逆転防止装置を含む。
【００３１】
実施例Ａ５では、先行する実施例「Ａ」のいずれかの主題はオプションで以下を含む。係止カムは、係止アームを収容し、且つ第１のハウジングを第２のハウジング上に下降させることを可能にする係止アームチャネルを含む。
【００３２】
実施例Ａ６では、先行する実施例「Ａ」のいずれかの主題はオプションで以下を含む。係止カムは、係止アームの上で回転し、且つ第１のハウジングを第２のハウジングに結合することができる係止機構を含む。
【００３３】
実施例ＡＡ１は、電子部品を含む電子装置である。電子部品はシャーシ内のハウジングにあり、シャーシは、第１のハウジング及び第２のハウジングを含む。第１のハウジングは係止アームを含む。第２のハウジングは、係止カム及びコードを含むことができる。コードは、係止カムに取り付けられ、係止カムを回転させて係止アームと係合及び係合解除することができ、且つ第１のハウジングを第２のハウジングと結合及び結合解除することができる。
【００３４】
実施例ＡＡ２では、実施例ＡＡ１の主題はオプションで以下を含む。第１のハウジングは複数の係止アームを含み、第２のハウジングは対応する複数の係止カムを含み、コードは、複数の係止カムのそれぞれを回転させて対応する係止アームと係合及び係合解除するように構成される。
【００３５】
実施例ＡＡ３では、先行する実施例「ＡＡ」のいずれかの主題はオプションで以下を含む。第２のハウジングは停止機構をさらに含み、停止機構は、係止カムが停止機構を超えて回転するのを防止するように構成される。
【００３６】
実施例ＡＡ４では、先行する実施例「ＡＡ」のいずれかの主題はオプションで以下を含む。係止カムは、停止機構と係合する逆転防止装置を含む。
【００３７】
実施例ＡＡ５では、先行する実施例「ＡＡ」のいずれかの主題はオプションで以下を含む。係止カムは、係止アームを収容し、且つ第１のハウジングを第２のハウジング上に下降させることを可能にする係止アームチャネルを含む。
【００３８】
実施例ＡＡ６では、先行する実施例「ＡＡ」のいずれかの主題はオプションで以下を含む。係止カムは、係止アームの上で回転し、且つ第１のハウジングを第２のハウジングに結合することができる係止機構を含む。
【００３９】
実施例Ｍ１は、係止カムを一方向に回転させて第１のハウジングを第２のハウジングに結合するステップと、係止カムを反対方向に回転させて第１のハウジングを第２のハウジングから結合解除するステップとを含む方法である。第１のハウジングは係止アームを含み、第２のハウジングは、係止カム及びコードを含む。コードは、係止カムに取り付けられ、係止カムを回転させて係止アームと係合及び係合解除し、第１のハウジングを第２のハウジングに結合及び結合解除することができる。
【００４０】
実施例Ｍ２では、先行する実施例「Ｍ１」の主題はオプションで以下を含む。第１のハウジングは複数の係止アームを含み、第２のハウジングは対応する複数の係止カムを含み、コードは、複数の係止カムのそれぞれを回転させて対応する係止アームと係合及び係合解除するように構成される。
【００４１】
実施例Ｍ３では、先行する実施例「Ｍ」のいずれかの主題はオプションで以下を含む。第２のハウジングは停止機構をさらに含み、停止機構は、係止カムが停止機構を超えて回転するのを防止するように構成される。
【００４２】
実施例Ｍ４では、先行する実施例「Ｍ」のいずれかの主題はオプションで以下を含む。係止カムは、係止アームを収容し、且つ第１のハウジングを第２のハウジング上に下降させることを可能にする係止アームチャネルを含む。
【００４３】
実施例Ｍ５では、先行する実施例「Ｍ」のいずれかの主題はオプションで以下を含む。係止カムは、係止アームの上で回転し、且つ第１のハウジングを第２のハウジングに結合することができる係止機構を含む。
【００４４】
例示的なシステムＳ１は、第１のハウジングを第２のハウジングに結合及び結合解除するための係止カム・アセンブリを含むことができる。第１のハウジングは係止アームを含むことができる。第２のハウジングは、係止カム及びコードを含むことができる。コードは、係止カムに取り付けられ、係止カムを回転させて係止アームと係合及び係合解除することができ、且つ第１のハウジングを第２のハウジングに結合及び結合解除することができる。
【００４５】
例示的なシステムＳ２は以下を含む。第１のハウジングは複数の係止アームを含み、第２のハウジングは対応する複数の係止カムを含み、コードは、複数の係止カムのそれぞれを回転させて対応する係止アームと係合及び係合解除するように構成される。
【００４６】
実施例Ｓ３では、先行する実施例「ＳＳ」のいずれかの主題はオプションで以下を含む。係止カムは、係止アームを収容し、且つ第１のハウジングを第２のハウジング上に下降させることを可能にする係止アームチャネルと、係止アームの上で回転し、且つ第１のハウジングを第２のハウジングに結合することができる係止機構と、を含む。
【００４７】
実施例Ｘ１は、実施例Ａ１〜Ａ６、ＡＡ１〜ＡＡ６、及びＭ１〜Ｍ５のいずれか１つの方法を実施する又は装置を実現する機械可読命令を含む機械可読記憶媒体である。実施例Ｙ１は、実施例Ｍ１〜Ｍ５の方法のいずれかを実行するための手段を含む装置である。実施例Ｙ２では、実施例Ｙ１の主題は、オプションで、プロセッサ及びメモリを含む方法を実行する手段を含むことができる。実施例Ｙ３では、実施例Ｙ２の主題は、オプションで、機械可読命令を含むメモリを含むことができる。
【図１Ａ】
0006752817.tif 000002
【図１Ｂ】
0006752817.tif 000003
【図２】
0006752817.tif 000004
【図３Ａ】
0006752817.tif 000005
【図３Ｂ】
0006752817.tif 000006
【図３Ｃ】
0006752817.tif 000007
【図４】
0006752817.tif 000008
【図５】
0006752817.tif 000009
【図６】
0006752817.tif 000010
【図７】
0006752817.tif 000011
【図８】
0006752817.tif 000012
【図９】
0006752817.tif 000013
【図１０】
0006752817.tif 000014
【図１１】
0006752817.tif 000015